(57)【要約】【課題】ユーザ操作によりスリープ状態から復帰した場合に、ユーザの手間を抑えつつユーザが望む待機画面を迅速に表示させることができるようにする。【解決手段】待機画面２５は、タブ形式の画面であり、複数のタブ３１〜３４と、各タブに対応した各タブ画面のうち選択状態にされているタブに対応したタブ画面とを含む。ハードキーのうち少なくとも１つには、複数のタブのうち何れかが対応付けて登録されている。待機画面２５が表示されないスリープモード中、タブが登録されているハードキーが押下された場合、スリープモードが解除され、待機画面２５として、押下されたハードキーに登録されているタブに対応したタブ画面が表示される。【選択図】図２
2018126979.tif 000002
【特許請求の範囲】
【請求項１】
表示部と、
複数のハードキーを有する入力部と、
制御部と、
を備えた表示制御装置であって、
前記制御部は、
前記表示部に待機画面を表示させる待機画面表示処理を実行し、
前記待機画面は、複数のタブ、及び、前記複数のタブの各々に対応した複数のタブ画面のうち選択状態にある１つの前記タブに対応したタブ画面を有し、
少なくとも１つの前記ハードキーには、前記複数のタブのうち何れか１つのタブが対応付けて登録されており、
動作モードとして、前記表示部に前記待機画面を表示させないスリープモードを備え、
前記制御部は、さらに、
特定のスリープ条件が成立した場合、前記動作モードを前記スリープモードに移行させるスリープ移行処理と、
前記タブが対応付けて登録されている前記ハードキーをタブ登録キーとして、前記動作モードが前記スリープモードの時に、前記タブ登録キーが押下された場合、前記スリープモードを解除して、前記表示部に、前記押下されたタブ登録キーに対応付けて登録されている前記タブに対応した前記タブ画面を含む前記待機画面を前記表示部に表示させる、スリープ復帰処理と、
を実行する、表示制御装置。
【請求項２】
請求項１に記載の表示制御装置であって、
前記待機画面が有する前記複数のタブのうち前記ハードキーに対応付けて登録されているタブには、当該タブが対応付けて登録されているハードキーを示す画像情報が含まれる、表示制御装置。
【請求項３】
請求項２に記載の表示制御装置であって、
前記複数のハードキーには、０〜９の各整数の数字を示す１０個のテンキーが含まれ、
前記待機画面が有する前記複数のタブのうち前記テンキーに対応付けて登録されているタブには、前記画像情報として、当該タブが対応付けて登録されているテンキーの数字を示す画像情報が含まれる、表示制御装置。
【請求項４】
請求項３に記載の表示制御装置であって、
前記複数のタブには、それぞれ、タブ毎に異なる整数の番号であるタブ番号が予め割り当てられており、
前記テンキーのうち少なくとも１つは前記タブ登録キーであり、
前記タブ登録キーとしての前記テンキーには、当該テンキーの数字と同じタブ番号の前記タブが対応付けて登録されている、
表示制御装置。
【請求項５】
請求項１〜請求項４の何れか１項に記載の表示制御装置であって、
前記制御部は、
前記複数のハードキーのうち何れか１つに対して前記複数のタブのうち何れか１つを対応付けて登録するための登録操作を前記入力部を介して受け付ける登録受付処理と、
前記登録受付処理により受け付けられた前記登録操作に基づいて前記ハードキーに前記タブを対応付けて登録する登録処理と、
を実行する、表示制御装置。
【請求項６】
請求項１〜請求項５の何れか１項に記載の表示制御装置であって、
前記制御部は、
前記タブ登録キーの押下によって前記スリープモードが解除された場合にその押下されたタブ登録キーに対応した待機画面を表示させる機能であるキー対応表示機能を有効又は無効に設定するための、機能設定操作を受け付ける、機能設定受付処理を実行し、
前記スリープ復帰処理では、前記キー対応表示機能が有効に設定されている場合に、前記押下されたタブ登録キーに対応付けて登録されている前記タブに対応した前記タブ画面を含む前記待機画面を表示させ、前記キー対応表示機能が無効に設定されている場合は、予め決められた特定の前記タブに対応した前記タブ画面を含む前記待機画面を表示させる、
表示制御装置。
【請求項７】
表示部及び複数のハードキーを有する表示制御装置の制御方法であって、
前記表示部に待機画面を表示させる待機画面表示ステップを有し、
前記待機画面は、複数のタブ、及び、前記複数のタブの各々に対応した複数のタブ画面のうち選択状態にある１つの前記タブに対応したタブ画面を有し、
少なくとも１つの前記ハードキーには、前記複数のタブのうち何れか１つのタブが対応付けて登録されており、
さらに、
特定のスリープ条件が成立した場合に、前記表示制御装置の動作モードを、前記表示部に前記待機画面を表示させないスリープモードに移行させるスリープ移行ステップと、
前記タブが対応付けて登録されている前記ハードキーをタブ登録キーとして、前記動作モードが前記スリープモードの時に、前記タブ登録キーが押下された場合、前記スリープモードを解除して、前記表示部に、前記押下されたタブ登録キーに対応付けて登録されている前記タブに対応した前記タブ画面を含む前記待機画面を前記表示部に表示させる、スリープ復帰ステップと、
を有する、表示制御装置の制御方法。
【請求項８】
表示部と、
複数のハードキーを有する入力部と、
制御部と、
を備えた表示制御装置における前記制御部が実行可能な制御プログラムであって、
前記制御部に、前記表示部に待機画面を表示させる待機画面表示処理を実行させ、
前記待機画面は、複数のタブ、及び、前記複数のタブの各々に対応した複数のタブ画面のうち選択状態にある１つの前記タブに対応したタブ画面を有し、
少なくとも１つの前記ハードキーには、前記複数のタブのうち何れか１つのタブが対応付けて登録されており、
前記制御部に、さらに、
特定のスリープ条件が成立した場合に、前記表示制御装置の動作モードを、前記表示部に前記待機画面を表示させないスリープモードに移行させるスリープ移行処理と、
前記タブが対応付けて登録されている前記ハードキーをタブ登録キーとして、前記動作モードが前記スリープモードの時に、前記タブ登録キーが押下された場合、前記スリープモードを解除して、前記表示部に、前記押下されたタブ登録キーに対応付けて登録されている前記タブに対応した前記タブ画面を含む前記待機画面を前記表示部に表示させる、スリープ復帰処理と、
を実行させる、表示制御装置の制御プログラム。
【発明の詳細な説明】
【技術分野】
【０００１】
本発明は、表示制御装置の表示部に表示される画面を制御する技術に関する。
【背景技術】
【０００２】
タッチパネルに表示される待機画面として、複数のタブを有し、タブ切り替えにより画面内容を切り替え可能な、いわゆるタブ形式の待機画面を備えた各種装置が知られている。
【０００３】
この種の装置において、起動後最初に表示される待機画面は、一般的には、各タブ毎の各待機画面のうち予め決められたデフォルト待機画面である。
また、この種の装置として、特許文献１に記載のように、スリープ条件が成立した場合に、省電力のためにスリープ状態に移行してタッチパネを非表示状態にするよう構成されたものが知られている。
【０００４】
スリープ状態でタッチパネルを非表示状態にするよう構成された各種装置は、一般的には、例えばハードキーが押下されたり、或いは非表示状態のタッチパネルがタッチされたりするなどの、スリープ復帰条件が成立すると、スリープ状態が解除されて通常の動作状態に復帰する。
【０００５】
スリープ状態から復帰したときに最初にタッチパネルに表示される待機画面としては、一般的には、デフォルト待機画面であることが多い。その他の例としては、特許文献１に記載のような、スリープ状態に移行する直前の動作状態に応じた待機画面を表示させるという仕様もある。
【先行技術文献】
【特許文献】
【０００６】
【特許文献１】特開２００８−２７８１０５号公報
【発明の概要】
【発明が解決しようとする課題】
【０００７】
スリープ状態のとき、あるユーザが、デフォルト待機画面とは異なる特定の待機画面を表示させて装置を利用したくなった場合、そのユーザにとっては、少しでも早く目的の待機画面を表示させることができると便利である。
【０００８】
しかし、スリープ状態からの復帰直後にデフォルト待機画面が表示されるような一般的な仕様の場合、ユーザとしては、スリープ状態から復帰させた後、さらに、デフォルト待機画面から目的の待機画面に切り替えるためのタブ操作が必要となる。
【０００９】
特許文献１に記載のような仕様の場合も、スリープ状態からの復帰直後に表示される待機画面が、ユーザが表示させたい目的の待機画面と同じであるとは限らず、目的の待機画面とは別の待機画面が表示された場合はそこからさらに目的の待機画面に切り替えるためのタブ操作が必要となる。
【００１０】
本発明は、上記課題に鑑みなされたものであり、ユーザ操作によりスリープ状態から復帰した場合に、ユーザの手間を抑えつつユーザが望む待機画面を迅速に表示させることができるようにすることを目的とする。
【課題を解決するための手段】
【００１１】
本発明の表示制御装置は、表示部と、複数のハードキーを有する入力部と、制御部とを備える。制御部は、表示部に待機画面を表示させる待機画面表示処理を実行する。待機画面は、複数のタブ、及び、複数のタブの各々に対応した複数のタブ画面のうち選択状態にある１つのタブに対応したタブ画面を有する。少なくとも１つのハードキーには、複数のタブのうち何れか１つのタブが対応付けて登録されている。また、表示制御装置は、動作モードとして、表示部に待機画面を表示させないスリープモードを備える。
【００１２】
制御部は、さらに、スリープ移行処理と、スリープ復帰処理とを実行するよう構成されている。スリープ移行処理は、特定のスリープ条件が成立した場合、動作モードをスリープモードに移行させる処理である。スリープ復帰処理は、タブが対応付けて登録されているハードキーをタブ登録キーとして、動作モードがスリープモードの時にタブ登録キーが押下された場合、スリープモードを解除して、表示部に、押下されたタブ登録キーに対応付けて登録されているタブに対応したタブ画面を含む待機画面を表示部に表示させる処理である。
【００１３】
このような構成によれば、スリープモード中にタブ登録キーが押下された場合、その押下されたタブ登録キーに対応した待機画面、即ち、その押下されたタブ登録キーに対応付けて登録されているタブに対応したタブ画面を含む待機画面が表示される。そのため、スリープモードから復帰させる際、手間を抑えつつユーザが望む待機画面を当該ユーザに迅速に表示させることができる。
【図面の簡単な説明】
【００１４】
【図１】実施形態の機能実行装置の構成を示すブロック図である。
【図２】第１実施形態の操作パネル及び待機画面を示す説明図である。
【図３】第１実施形態の表示制御処理のフローチャートである。
【図４】第１実施形態のカスタム移行設定処理のフローチャートである。
【図５】第２実施形態の操作パネル及び待機画面を示す説明図である。
【図６】第２実施形態のタブ編集処理のフローチャートである。
【発明を実施するための形態】
【００１５】
以下、本発明の実施形態について、図面を参照しながら説明する。
［１．第１実施形態］
（１−１）機能実行装置の構成
図１に示す第１実施形態の機能実行装置１０は、原稿の画像を読み取ってその読み取った画像の画像データを生成するスキャン機能、記録用紙への画像の印刷を行う印刷機能、スキャン機能により読み取った画像を印刷機能により記録用紙に印刷するコピー機能、ファクシミリデータの送受信を行うファクシミリ機能などの、規定の複数の機能を備えている。
【００１６】
機能実行装置１０は、図１に示すように、制御部１１と、記憶部１２と、表示部１３と、入力部１４と、画像読取部１５と、印刷部１６と、メディアインタフェース部１７と、第１通信部１８と、第２通信部１９とを備え、これらがバス２０を介して相互に接続されている。なお、メディアインタフェース部のことを、以下「メディアＩ／Ｆ」と略称する。
【００１７】
制御部１１はＣＰＵを有する。記憶部１２は、例えばＲＯＭ、ＲＡＭ、ＮＶＲＡＭ、フラッシュメモリなどの半導体メモリを有する。即ち、機能実行装置１０は、ＣＰＵ及び半導体メモリを含むマイクロコンピュータを備えている。
【００１８】
制御部１１は、非遷移的実体的記録媒体に格納されたプログラムを実行することにより各種機能を実現する。本実施形態では、記憶部１２が、プログラムを格納した非遷移的実体的記録媒体に該当する。なお、制御部１１により実現される各種機能は、プログラムの実行によって実現することに限るものではなく、その一部又は全部について、一つあるいは複数のハードウェアを用いて実現してもよい。
【００１９】
記憶部１２には、後述する待機画面２５（図２参照）を含む、表示部１３に表示させる各種画面のデータが記憶されている。また、記憶部１２には、後述する図３のメイン制御処理及び図４のカスタム移行モード設定処理のプログラムも記憶されている。上記各機能を実行するためのプログラムは、メイン制御処理のプログラムの一部として含まれていてもよいし、メイン制御処理のプログラムとは別のプログラムであってもよい。
【００２０】
表示部１３は、例えば液晶ディスプレイや有機ＥＬディスプレイなどの、画像を表示可能な表示デバイスを有する。
入力部１４は、各種入力操作を受け付けるための入力用デバイスを有する。入力部１４が有する入力用デバイスには、図２に示す電源ボタン５、テンキー６、戻りボタン７、ホームボタン８、停止ボタン９、及びタッチパネル１４ａが含まれる。タッチパネル１４ａは、表示部１３の表示デバイスにおける画像が表示される画像表示領域に配置される。
【００２１】
タッチパネル１４ａは、表示部１３の画像表示領域に対する、指示体による接触又は近接による指示操作を検出可能である。即ち、タッチパネル１４ａは、表示部１３の画像表示領域に対して指示体による指示操作が行われている場合に、その指示操作が行われている位置である指示位置を示す位置情報を出力可能に構成されている。本実施形態のタッチパネル１４ａは、指示体により指示操作が行われている間、位置情報を連続的又は周期的に出力するよう構成されている。なお、タッチパネル１４ａは、指示操作として接触のみ検出可能な構成であってもよいし、近接のみ検出可能な構成であってもよいし、接触及び近接の両方を検出可能な構成であってもよい。
【００２２】
制御部１１は、タッチパネル１４ａから出力される位置情報を取得し、その取得した位置情報に基づいて、指示体の指示操作の有無、指示操作が行われている場合における指示位置、指示操作が行われている場合における指示体による少なくとも一種類の特定の操作を検出することができる。
【００２３】
制御部１１が検出可能な特定の操作としては、少なくとも、指示体により指示操作が行われた後同じ位置で指示体が離れる操作であるタップ操作がある。指示操作を行うことが可能な指示体の具体的態様は種々考えられ、例えば指先であってもよいし、スタイラスペンなどの特定の指示用デバイスであってもよい。
【００２４】
画像読取部１５は、イメージセンサを備え、原稿の画像を読み取り、読み取った画像の画像データを生成する。画像読取部１５は、ＡＤＦを備えていてもよい。なお、ＡＤＦとは、自動原稿送り装置を意味する、Ａｕｔｏｍａｔｉｃ  Ｄｏｃｕｍｅｎｔ  Ｆｅｅｄｅｒの略称である。また、画像読取部１５は、原稿台或いはＡＤＦにセットされた原稿に対し、その両面の画像を読み取るいわゆる両面スキャンを実行可能に構成されていてもよい。
【００２５】
印刷部１６は、インクジェット技術や電子写真技術の印刷機構を有し、シート状の記録用紙に画像を印刷することが可能である。なお、印刷部１６は、記録用紙の両面に画像を印刷するいわゆる両面印刷を実行可能に構成されていてもよい。
【００２６】
メディアＩ／Ｆ１７は、例えばＵＳＢフラッシュメモリなどの、各種の記憶メディアが装着されるインタフェース部であり、装着された記憶メディアに対するデータの書き込み及び読み出しを制御する。
【００２７】
第１通信部１８は、機能実行装置１０をデータ通信用のネットワークに接続するための通信インタフェースである。第１通信部１８は、例えば、有線ＬＡＮ、無線ＬＡＮ、インターネットなどの各種ネットワークの少なくとも１つに接続可能であってもよい。機能実行装置１０は、第１通信部１８を介して、パソコンやスマートフォン、タブレット端末などの各種情報処理装置と有線又は無線にてデータ通信可能であってもよい。また、機能実行装置１０は、第１通信部１８を介してインターネットに接続し、インターネットを介して他の各種サーバや各種情報処理装置などとデータ通信可能であってもよい。
【００２８】
第２通信部１９は、通信回線１００を通じて外部機器と通信を行うためのインタフェース部である。第２通信部１９に接続される通信回線１００は、本実施形態では例えば公衆電話網である。ファクシミリ機能におけるファクシミリデータの送受信は、基本的には、第２通信部１９を介して行われる。
【００２９】
機能実行装置１０は、通信回線１００を通じて外部機器と接続するための回線側ジャック１０６と、外付電話機１１０を接続するための電話機側ジャック１０７とを備えている。これら各ジャック１０６、１０７はいずれも、同一形状のモジュラージャックとして構成されている。第２通信部１９は、これら各ジャック１０６、１０７に接続されている。
【００３０】
第２通信部１９は、回線側ジャック１０６を介して通信回線１００と接続される。また、電話機側ジャック１０７に外付電話機１１０が接続されている場合は、第２通信部１９は、電話機側ジャック１０７を介して外付電話機１１０と接続される。また、外付電話機１１０は、電話機側ジャック１０７及び回線側ジャック１０６を介して通信回線１００と直接接続される。
【００３１】
（１−２）操作パネルの構成
機能実行装置１０における、不図示の筐体の一側面には、図２に示す操作パネル３が設けられている。操作パネル３には、図２に示すように、電源ボタン５と、テンキー６と、戻りボタン７と、ホームボタン８と、停止ボタン９と、表示部１３と、タッチパネル１４ａとが設けられている。なお、図２に示されている表示部１３は、詳しくは、表示部１３が有する表示デバイスにおける画像表示領域を示している。この画像表示領域のほぼ全範囲にタッチパネル１４ａが重畳配置されている。
【００３２】
電源ボタン５は、機能実行装置１０の電源をオン、オフさせるためにユーザにより操作されるハードキーである。電源ボタン５の押下により機能実行装置１０に電源が投入されて機能実行装置１０の動作が開始されると、制御部１１は、特定の初期化処理を行った後、表示部１３に待機画面２５を表示させる。ユーザは、その待機画面２５を起点として各種入力操作を行うことで、表示部１３に表示させる画面を切り替えたり、各種設定を行ったり、各種機能を実行させたりすることができる。
【００３３】
テンキー６は、例えばファクシミリデータの送信先番号を入力するときやコピー機能におけるコピー部数を入力するときなど、主に数字を入力する際にユーザにより操作される、「０」〜「９」までの各数字のハードキーを含む複数のハードキーの総称である。
【００３４】
本実施形態では、テンキー６として、図２に示すように、「０」〜「９」までの整数の各数字を示す１０個のハードキーと、「※」及び「♯」の各記号を示す２つのハードキーとの、計１２個のハードキーを備えている。
【００３５】
戻りボタン７は、表示部１３の画面を現在表示されている画面の直前に表示されていた画面に戻すためにユーザに操作されるハードキーである。ホームボタン８は、表示部１３に待機画面２５を表示させるためにユーザに操作されるハードキーである。停止ボタン９は、処理中の動作を停止させるためにユーザにより操作されるハードキーである。
【００３６】
（１−３）待機画面の説明
待機画面２５は、いわゆるタブ形式の画面であり、複数のタブのうち選択状態にされている何れか１つのタブに対応した画面が表示される。複数のタブにはそれぞれ個別にタブ画面が対応付けられており、待機画面２５には、選択状態にされているタブに対応したタブ画面が表示される。
【００３７】
各タブの画像情報や各タブに対応付けられている各タブ画面に含まれる各アイコンの情報などの、待機画面２５を表示させるために必要な各種情報や、待機画面２５に対して入力部１４を介して各種入力操作が行われた場合に実行すべき処理の内容に関する情報などは、記憶部１２に記憶されている。
【００３８】
図２に示すように、待機画面２５は、タブ表示領域３０と、タブ画面表示領域３６とを有する。タブ表示領域３０には、最大４つのタブが表示される。なお、本実施形態では、タブの総数Ｎｔは、待機画面２５中に同時に表示可能なタブの最大数である４よりも多い。図２は、タブ表示領域３０に、第１タブ〜第ＮｔタブのＮｔ個のタブのうち、第１タブ３１、第２タブ３２、第３タブ３３及び第４タブ３４が表示されている例を示している。なお、以下の説明では、一例として、タブの総数Ｎｔが８、即ちタブとして第１タブ〜第８タブまでの８個のタブがあるものとして説明する。
【００３９】
待機画面２５における、タブ表示領域３０の両端近傍には、左ボタン２６及び右ボタン２７が表示される。Ｎｔ個のタブの左右方向の配列順は予め決められている。現在表示されている４つのタブよりも左側に他のタブが配列されている場合は、左ボタン２６をタップすることによって、表示対象のタブを右側にスクロールさせることで、現在表示されている４つのタブよりも左側に配列されているタブを表示させることができる。逆に、現在表示されている４つのタブよりも右側に他のタブが配列されている場合は、右ボタン２７をタップすることによって、表示対象のタブを左側にスクロールさせることで、現在表示されている４つのタブよりも右側に配列されているタブを表示させることができる。
【００４０】
現在選択状態にされているタブのタブ画面から、他のタブのタブ画面に切り替えたい場合は、切り替え先のタブをタップすればよい。現在選択状態のタブ以外のタブをタップすると、そのタップしたタブが選択状態にされて、待機画面２５のタブ画面表示領域３６には、その新たに選択状態にされたタブに対応したタブ画面が表示される。
【００４１】
選択状態にされているタブは、他のタブとは異なる態様で表示される。他のタブとは異なる態様として、例えば、他のタブと異なる色にする、タブの大きさを他のタブよりも大きくする、タブに特定の装飾を加える、などが考えられる。図２は、第１タブ３１が選択状態にされていて、第１タブ３１が他のタブとは異なる色で表示されている例を示している。
【００４２】
各タブには、それぞれ、当該タブの名称であるタブ名が登録されており、待機画面２５においては、各タブに、対応するタブ名が表示される。図２は、第１タブ３１にタブ名として「Ｓｍｉｔｈ」が、第２タブ３２にタブ名として「Ｒｅｉｍｏｎ」が、第３タブにタブ名として「Ｍｉｋａ」が、第４タブにタブ名として「Ｋｅｎ」が、それぞれ登録されていることを例示している。第５タブ以降の図示されていない他のタブにもそれぞれタブ名が登録されている。
【００４３】
なお、機能実行装置１０の出荷時、即ち機能実行装置１０がユーザに提供されて初めて使用される状態において、各タブにはそれぞれ、タブ名の初期値として規定のタブ名が登録されている。これに対し、ユーザは、タブ毎に、タブ名を変更することができる。
【００４４】
また、各タブには、それぞれ、タブ名に加えてタブ番号が対応付けられている。本実施形態では、第１タブに対してはタブ番号１、第２タブに対してはタブ番号２、という要領で、第ｎタブに対してタブ番号ｎが対応付けられている。
【００４５】
そして、待機画面２に表示される各タブにおいては、タブ名に加え、タブ番号も付加されて表示される場合がある。図２は、各タブ３１〜３４にそれぞれタブ番号１〜４が付加されて表示されている例を示している。なお、待機画面２５に表示される各タブにタブ番号が付加されるか、それとも付加されずにタブ名だけ表示されるか、については、後述するカスタム移行モードの設定状態に依存する。
【００４６】
各タブに対応付けられている各タブ画面は、複数のアイコンが配列された画面である。本実施形態では、１つのタブ画面に第１アイコン４１〜第８アイコン４８の８個のアイコンが表示される。待機画面２５における、タブ画面表示領域３６には、第１タブ〜第Ｎｔタブの全Ｎｔ個のタブそれぞれに対応した各タブ画面（第１タブ画面〜第Ｎｔタブ画面）のうち、選択状態にされている１つのタブに対応したタブ画面が表示される。図２は、選択状態の第１タブ３１に対応付けられたタブ画面である第１タブ画面４０が表示されている例を示している。
【００４７】
待機画面２５のタブ画面に含まれるアイコンには、大きく分類すると、三種類のアイコンがある。具体的に、機能実行用アイコンと、設定用アイコンと、未登録アイコンがある。機能実行用アイコンは、当該機能実行装置１０が有する上記規定の複数の機能のうち何れかの機能を実行させるための、その実行対象の機能が登録されたアイコンである。設定用アイコンは、各種設定項目を設定するための、その設定対象の特定の項目あるいは複数の項目のリスト等が登録されたアイコンである。未登録アイコンは、機能及び設定項目等が何ら登録されていないアイコンであり、ユーザによって任意の機能或いは設定項目を新規に登録することが可能なアイコンである。
【００４８】
機能実行用アイコンは、さらに、規定機能アイコンと、ショートカットアイコンとの二種類に分類される。規定機能アイコンは、当該機能実行装置１０が有するスキャン機能、印刷機能、コピー機能、ファクシミリ機能、ウェブサービス機能、便利ツール機能などの規定の複数の機能のうち何れかを実行させるための、その実行対象の規定の機能が登録されたアイコンである。規定機能アイコンは、当該機能実行装置１０の出荷時に予め登録されている。規定機能アイコンに登録されている各種設定値は、予め決められたデフォルト値である。ただし、そのデフォルト値は、規定機能アイコンをタップして対応機能を実行させる際にユーザが確認、変更することができる。
【００４９】
ショートカットアイコンには、上記規定の複数の機能のうちいずれかをユーザが予め設定した特定の実行条件で実行させるショートカット機能が登録される。ショートカットアイコンは、当該機能実行装置１０の出荷時から予め登録されているアイコンではなく、未登録アイコンに対してユーザが任意に登録操作を行うことによって、その未登録アイコンに代わって生成されるアイコンである。
【００５０】
規定機能アイコンが、各設定値の初期値が予め決められているのに対し、ショートカットアイコンについては、ユーザ自ら、実行対象の機能、及びその機能をどのような設定条件で実行させるか、などについて任意に設定、登録することができる。
【００５１】
なお、未登録アイコンに対しては、任意のショートカット機能を登録してショートカットアイコンとすることができるほか、任意の機能を登録することにより規定機能アイコンとしたり、任意の設定項目を登録することにより設定用アイコンとすることもできる。
【００５２】
図２に示す、第１タブ３１に対応した第１タブ画面４０が表示された待機画面２５において、第１アイコン４１はファクスアイコンである。ファクスアイコンは、ファクシミリ機能を実行させるための規定機能アイコンである。第２アイコン４２はコピーアイコンである。コピーアイコンは、コピー機能を実行させるための規定機能アイコンである。第３アイコン４３はスキャンアイコンである。スキャンアイコンは、スキャン機能を実行させるための規定機能アイコンである。第５アイコン４５は設定メニューアイコンである。設定メニューアイコンは、少なくとも一種類の設定項目の設定値を設定するための設定用アイコンである。第７アイコン４７は、スキャン機能のうち特にスキャンｔｏファイル機能のショートカット機能が登録されたショートカットアイコンである。スキャンｔｏファイル機能は、スキャンした画像データをパソコンを含む他の情報処理装置における指定フォルダに送信して保存させる機能である。第４アイコン４４、第６アイコン４６及び第８アイコン４８は未登録アイコンである。
【００５３】
機能実行装置１０の出荷時、各タブの各タブ画面に含まれる８個のアイコンの種類や位置は、初期値として決められている。例えば、第１タブ３１に対応した第１タブ画面４０は、各アイコンの初期値として、第１アイコン４１がファクスアイコン、第２アイコン４２がコピーアイコン、第３アイコン４３がスキャンアイコン、第５アイコン４５が設定メニューアイコン、その他の４つのアイコン４４，４６，４７，４８が未登録アイコンに設定されている。第１タブ３１以外の他の各タブに対応した各タブ画面における８個のアイコンについても、それぞれ、初期値が設定されている。
【００５４】
これに対し、ユーザは、タブ画面に含まれるアイコンに対し、各種の編集操作を行うことができる。具体的に、本実施形態では、任意の１つのアイコンの位置を他の１つのアイコンと入れ替えたり、未登録アイコン以外の任意の１つ又は複数のアイコンを消去して未登録アイコンに変化させたりすることができる。アイコンの位置の入れ替えは、同一タブ画面内でできることはもちろん、異なるタブ画面間でも可能である。つまり、タブをまたいだアイコンの入れ替えも可能である。
【００５５】
未登録アイコンに対する機能の新規登録について補足説明する。未登録アイコンをタップすると、登録可能な機能及び設定項目のリストが表示される。ユーザは、表示されているリストの中から、登録対象の機能又は設定項目を選択できる。
【００５６】
何れかの設定項目が選択された場合は、その設定項目に対応した設定用アイコンが新規に生成される。つまり、登録対象のアイコンが、未登録アイコンから、今回登録した設定項目の設定用アイコンとなる。以後、この設定用アイコンをタップすることで、登録されている設定項目の設定値を確認したり変更したりすることができる。
【００５７】
一方、何れかの機能が選択された場合は、さらに、その機能について、規定機能アイコンとして登録するか、それともショートカットアイコンとして登録するかをユーザに選択させるための選択画面が表示される。
【００５８】
規定機能アイコンとしての登録が選択された場合は、選択された機能に対応した規定機能アイコンが新規に生成される。つまり、登録対象のアイコンが、未登録アイコンから、今回登録した規定機能アイコンとなる。本実施形態では、出荷時からすでに設けられている規定機能アイコンと同じ規定機能アイコンを別途登録することもできる。
【００５９】
一方、ショートカットアイコンとしての登録が選択された場合は、選択された機能を具体的にどのような実行条件で実行させるかをユーザに設定させるための設定画面が表示される。ユーザは、この設定画面を介して、選択した機能の具体的な実行条件、即ち選択した機能を実行させるために必要な各種設定項目の設定値を任意に設定することができる。そして、ユーザにより設定完了を示す操作が行われると、選択した機能を特定の実行条件で実行させることが可能なショートカットアイコンが生成される。つまり、登録対象のアイコンが、未登録アイコンから、今回登録したショートカット機能用のショートカットアイコンとなる。以後、このショートカットアイコンをタップすることで、登録されている機能を、登録されている特定の実行条件に従って容易に実行させることができる。
【００６０】
このような構成により、ユーザは、未登録アイコンに対して各種のアイコンを登録したり、各タブ画面のアイコンの位置を自在に入れ替えたりすることができる。そのため、例えば機能実行装置１０のユーザが複数いる場合、ユーザ毎にタブを振り分けて、ユーザ毎に例えば当該ユーザがよく使うアイコンを配置させることもできる。
【００６１】
図２に示す待機画面２５は、ユーザ毎にタブの振り分けが行われている例を示している。即ち、第１タブ３１の第１タブ画面４０は、ユーザ名が「Ｓｍｉｔｈ」のユーザによって当該ユーザ用にアイコンの配置や種類がカスタマイズされているタブ画面である。また、第２タブ３２の第２タブ画面は、ユーザ名が「Ｒｅｉｍｏｎ」のユーザによって当該ユーザ用にアイコンの配置や種類がカスタマイズされているタブ画面である。また、第３タブ３３の第３タブ画面は、ユーザ名が「Ｍｉｋａ」のユーザによって当該ユーザ用にアイコンの配置や種類がカスタマイズされているタブ画面である。また、第４タブ３４の第４タブ画面は、ユーザ名が「Ｋｅｎ」のユーザによって当該ユーザ用にアイコンの配置や種類がカスタマイズされているタブ画面である。
【００６２】
また例えば、機能の種類毎にタブを振り分けて、機能の種類毎にアイコンを配置させることもできる。例えば、第１タブ３１に対応した第１タブ画面４０には規定機能アイコンのみ配置させ、第２タブ３２に対応した第２タブ画面にはスキャン機能に関するショートカットアイコンのみ配置させ、第３タブ３３に対応した第３タブ画面にはコピー機能に関するショートカットのみ配置させる、ということができる。ただしこの例において、各タブ画面には未登録アイコンが存在していてもよい。
【００６３】
（１−４）スリープモード及びカスタム移行モードの説明
制御部１１は、動作モードとして、通常の動作モードの他に、その通常の動作モードよりも機能実行装置１０全体の消費電力を低減させるスリープモードを備える。スリープモード中は、表示部１３の消費電力を抑えるために、表示部１３が非表示状態となり、何も表示されなくなる。表示部１３が例えば液晶ディスプレイである場合、スリープモード中はバックライトが消灯されて非表示状態となる。また、スリープモードでは、制御部１１自体の消費電力も低減され、通常の動作モードで行われる各種処理のうち特定の処理を除いて停止される。スリープモード中も行われる処理としては、例えば、後述のスリープ解除条件の成立を検出するための処理が挙げられる。
【００６４】
なお、スリープモードにおける、表示部１３の消費電力を低減させるための具体的な態様は、上記態様に限らず、適宜決めてよい。例えば、表示部１３による消費電力を完全に０にしてもよい。また例えば、表示部１３を完全に非表示状態とするのではなく、通常の動作モード時よりも低い消費電力にて、スリープモード中であることを報知するメッセージを表示させてもよい。
【００６５】
制御部１１は、電源ボタン５がオンされて電源が投入されることにより起動すると、表示部１３に、待機画面２５を表示させる。この起動時に表示される待機画面２５の内容、即ちどのタブのタブ画面が表示されるかについては、デフォルト待機画面として予め設定されている。本実施形態では、例えば、第１タブ３１の第１タブ画面４０、即ちタブ名が「Ｓｍｉｔｈ」のタブ画面が、デフォルト待機画面として設定されている。
【００６６】
ユーザは、選択状態のタブを切り替えることで、待機画面２５の内容を、デフォルト待機画面から、他のタブ画面が表示された待機画面に切り替えることができる。
そして、起動後、特定のスリープ条件が成立すると、制御部１１は、動作モードをスリープモードに移行させる。具体的に、ユーザ操作がなく上記規定の機能の動作が行われていない待機状態が所定時間（例えば１分）継続した場合は、待機画面２５をデフォルト待機画面に切り替える。その後、待機状態がさらに所定時間（例えば５分）継続した場合は、スリープモードに移行させる。なお、上記のように一旦デフォルト待機画面を表示させてその後にスリープモードに移行させるのではなく、待機状態が所定時間継続したらすぐにスリープモードに移行させる仕様であってもよい。
【００６７】
スリープモード中、特定のスリープ解除条件が成立すると、スリープモードが解除されて通常の動作モードに復帰する。スリープモードから通常の動作モードに復帰すると、制御部１１は、表示部１３に待機画面２５を表示させる。スリープ解除条件として、本実施形態では、タッチパネル１４ａがタップされること、何れかのハードキーが押下されること、などが設定されている。
【００６８】
スリープモードから通常の動作モードに復帰したときに表示される待機画面２５は、基本的には、デフォルト待機画面である。ただし、本実施形態では、計８個のタブと、テンキー６が有する各ハードキーのうち「１」〜「８」の８個のハードキー（数字キー）とが対応付けられている。即ち、「１」〜「８」の各ハードキーには、それぞれ、当該ハードキーの数字と同じタブ番号のタブが対応付けて登録されている。
【００６９】
また、本実施形態では、スリープモードから復帰した場合に表示部１３にどの待機画面を表示させるかに関し、デフォルト待機画面ではなく、テンキー６における「１」〜「８」のハードキーが押下された場合、即ち何れかのタブのタブ番号と同じ数字のハードキーが押下された場合にはその押下されたハードキーの数字と同じタブ番号のタブ画面を表示させる、カスタム移行モードを備えている。
【００７０】
カスタム移行モードは、ユーザによりオン（有効）又はオフ（無効）に設定することができる。カスタム移行モードがオフに設定されている場合は、スリープモードから通常の動作モードに復帰した場合に表示される待機画面はデフォルト待機画面である。
【００７１】
これに対し、カスタム移行モードがオンに設定されている場合、スリープモード中にテンキー６における「１」〜「８」のハードキーが押下された場合は、待機画面２５として、その押下されたハードキーの数字と同じタブ番号のタブ画面を有する待機画面２５が表示される。なお、「１」〜「８」のハードキー以外の、タブ番号が対応付けられていない他のハードキーが押下された場合は、デフォルト待機画面が表示される。
【００７２】
また、カスタム移行モードがオンに設定されている場合、待機画面２５に表示される各タブには、図２に示すように、タブ名と共に、タブ番号を示す画像情報が表示される。本実施形態の場合、タブ番号と同じ数字のテンキーが対応付けられている。そのため、タブに表示される、タブ番号を示す画像情報は、換言すれば、当該タブが対応付けて登録されているテンキーの数字を示す画像情報である、とも言える。
【００７３】
本実施形態では、タブ番号を示す画像情報として、アラビア数字の画像が表示される。なお、タブ番号を示す画像情報は適宜決めてよく、例えば丸付きアラビア数字であってもよいし、ローマ数字であってもよい。
【００７４】
（１−５）メイン制御処理の説明
次に、制御部１１が実行するメイン制御処理について、図３を用いて説明する。制御部１１は、電源ボタン５の押下により電源が投入されて起動すると、通常の動作モードでの動作を開始し、図３のメイン制御処理を実行する。
【００７５】
制御部１１は、図３のメイン制御処理を開始すると、Ｓ１１０で、表示部１３に待機画面２５としてデフォルト待機画面を表示させる。Ｓ１２０では、スリープ条件が成立しているか否か判断する。スリープ条件が成立していない場合は、Ｓ１３０で、通常処理を実行して、Ｓ１２０に戻る。なお、Ｓ１３０の通常処理とは、ユーザ操作あるいは外部との通信が行われた場合に、そのユーザ操作あるいは外部との通信に応じて実行する処理である。ユーザ操作及び外部との通信が行われず待機状態が継続している場合は、Ｓ１３０ではその待機状態をそのまま維持させてＳ１２０に戻る。
【００７６】
Ｓ１２０で、スリープ条件が成立した場合は、Ｓ１４０で、動作モードをスリープモードに移行させる。これにより、表示部１３は非表示状態となる。Ｓ１５０では、いずれかのハードキーが押下されたか否か判断する。何れのハードキーも押下されていない場合は、Ｓ１６０で、タッチパネル１４ａがタップされたか否か判断する。タッチパネル１４ａがタップされていない場合は、Ｓ１５０に戻る。タッチパネル１４ａがタップされた場合は、Ｓ２１０に進む。
【００７７】
Ｓ２１０では、動作モードをスリープモードから通常の動作モードに復帰させる。そして、Ｓ２２０で、表示部１３にデフォルト待機画面を表示させて、Ｓ１２０に戻る。
Ｓ１５０で、何れかのハードキーが押下された場合は、Ｓ１７０で、カスタム移行モードがオンに設定されているか否か判断する。カスタム移行モードがオフに設定されている場合は、Ｓ２１０に進む。この場合、通常の動作モードに復帰して表示部１３にはデフォルト待機画面が表示される。
【００７８】
カスタム移行モードがオンに設定されている場合は、Ｓ１８０で、押下されたハードキーがタブ登録キーであるか否か判断する。タブ登録キーとは、何れかのタブが対応付けて登録されているハードキーであり、本実施形態では、テンキー６が有する各ハードキーのうち「１」〜「８」の８個のハードキーである。
【００７９】
押下されたハードキーがタブ登録キーではなく他のハードキーである場合、即ちタブが登録されていないハードキーである場合は、Ｓ２１０に進む。一方、押下されたハードキーがタブ登録キーである場合は、Ｓ１９０で、動作モードをスリープモードから通常の動作モードに復帰させる。そして、Ｓ２００で、表示部１３に、押下されたハードキーに登録されているタブに対応した待機画面を表示させて、Ｓ１２０に戻る。即ち、例えば数字「５」のハードキーが押下された場合は、タブ番号が５の第５タブに対応したタブ画面を含む待機画面を表示させる。
【００８０】
（１−６）カスタム移行モード設定処理の説明
次に、制御部１１が実行するカスタム移行モード設定処理について、図４を用いて説明する。制御部１１は、起動後、カスタム移行モードを設定するための所定のユーザ操作が行われると、図４のカスタム移行モード設定処理を実行する。
【００８１】
制御部１１は、図４のカスタム移行モード設定処理を開始すると、Ｓ３１０で、表示部１３に、カスタム移行モードの設定画面を表示させる。Ｓ３２０では、カスタム移行モードの設定画面に対する、ユーザによるカスタム移行モードをオン又はオフに設定するための設定入力を受け付ける。
【００８２】
Ｓ３３０では、Ｓ３２０で受け付けた入力内容に基づき、カスタム移行モードとしてオン又はオフのどちらが入力されたか判断する。オンにするための設定入力が行われた場合は、Ｓ３４０に進む。Ｓ３４０では、カスタム移行モードをオンに設定する。Ｓ３５０では、待機画面に表示される各タブに対し、タブ名と共にタブ番号も表示させるよう設定する。
【００８３】
Ｓ３３０で、カスタム移行モードとしてオフにするための設定入力が行われた場合は、Ｓ３６に進む。Ｓ３６０では、カスタム移行モードをオフに設定する。Ｓ３７０では、待機画面に表示される各タブに対し、タブ番号は表示させないように設定する。
【００８４】
（１−７）第１実施形態の効果
以上説明した第１実施形態によれば、以下の（１ａ）〜（１ｄ）の効果を奏する。
（１ａ）スリープモード中にタブ登録キーが押下された場合は、その押下されたタブ登録キーに対応した待機画面、即ち、その押下されたタブ登録キーに対応付けて登録されているタブに対応したタブ画面を含む待機画面が表示される。そのため、ユーザは、スリープモードから復帰させる際、手間を抑えつつ当該ユーザが望む待機画面を迅速に表示させることができる。
【００８５】
（１ｂ）本実施形態では、第１タブ〜第８タブのいずれもタブ登録キーである。また、各タブにタブ番号が設定されており、各タブそれぞれ、当該タブのタブ番号と同じ数字のテンキーに対応付けて登録されている。そのため、ユーザは、スリープモードから復帰させる際、テンキーのうちどの数字を押せばどのタブの待機画面が表示されるかを予め容易に認識しておくことができ、スリープモード解除時に目的のタブの待機画面を迅速に表示させることができる。
【００８６】
（１ｃ）待機画面中、各タブには、タブ名と共にタブ番号を示す画像情報が表示される。そのため、ユーザは、待機画面が表示されているときに各タブのタブ番号を確認して把握しておくことで、スリープモード中にどの数字のハードキーを押せばどのタブの待機画面を表示させることができるのかを予め効率的に把握しておくことができる。
【００８７】
（１ｄ）本実施形態では、カスタム移行モードをオン、オフの何れかに設定可能である。そのため、カスタム移行モードをオフに設定すれば、スリープモードからの復帰時、どのハードキーを押下してもデフォルト待機画面が表示されるようにすることができる。一方、カスタム移行モードをオンに設定すれば、スリープモードからの復帰時、デフォルト待機画面を経由することなく目的のタブの待機画面を迅速に表示させることができる。
【００８８】
なお、本実施形態において、機能実行装置１０は表示制御装置の一例に相当する。また、「１」〜「８」の何れかの数字のテンキーが押下されたことによりスリープモードから通常の動作モードへ復帰した場合に待機画面としてその押下されたテンキーの数字に対応したタブ番号のタブ画面を表示させる機能は、キー対応表示機能に相当する。
【００８９】
また、図３のメイン制御処理において、Ｓ１１０、Ｓ２００及びＳ２２０の処理は待機画面表示処理に相当する。Ｓ１４０の処理はスリープ移行処理に相当する。Ｓ１９０及びＳ２１０の処理はスリープ復帰処理に相当する。また、図４のカスタム移行モード設定処理において、Ｓ３２０の処理は機能設定受付処理の一例に相当する。また、Ｓ３２０の処理で受け付ける設定入力は、機能設定操作に相当する。
【００９０】
［２．第２実施形態］
図５に、第２実施形態の操作パネル６０を示す。第２実施形態の操作パネル６０は、ハードウェア構成としては、図２に示した第１実施形態の操作パネル３と全く同じである。第１実施形態と異なるのは、表示部１３に表示される待機画面２５の内容である。より具体的には、各タブとハードキーとの対応関係が、第１実施形態とは異なる。
【００９１】
第１実施形態では、各タブに対し、タブ番号が予め設定されていた。これに対し、本第２実施形態では、各タブにはタブ番号が初期設定されていない。また、各タブとハードキーとの対応付けも、初期状態では行われていない。そして、本実施形態では、ユーザ操作によって、特定の１つのタブを、特定の１つのハードキーに対応付けて登録することができる。
【００９２】
図５は、ユーザ操作によって、第１タブ３１については数字「１」のテンキーに対応付けて登録されており、第２タブ３２については記号「♯」のテンキーに対応付けて登録されており、第３タブ３３については数字「３」のテンキーに対応付けて登録されており、第４タブ３４についてはホームボタン８に対応付けて登録されている例を示している。
【００９３】
本実施形態では、テンキー６が有する１２個のハードキー、及び、電源ボタン５を除くその他の各ハードキー７，８，９に対し、いずれかのタブを対応付けて登録することができる。
【００９４】
待機画面において、ハードキーに対応付けて登録されているタブには、その登録されているハードキーを示す画像情報が表示される。ハードキーを示す画像情報の内容は、記憶部１２に、ハードキー毎に個別に記憶されている。
【００９５】
このような機能を実現するために制御部１１により実行されるタブ編集処理について、図６を用いて説明する。図６のタブ編集処理のプログラムは、例えば記憶部１２に記憶されている。制御部１１は、待機画面を表示させている間、図６のタブ編集処理を周期的に実行する。
【００９６】
制御部１１は、図６のタブ編集処理を開始すると、Ｓ４１０で、待機画面に表示されている各タブのうち何れかが長押しされたか否か判断する。タブに対する長押しとは、タブに対してタッチパネル１４ａを介して一定時間以上継続して指示体による指示操作が行われることを意味する。タブが長押しされていない場合は、タブ編集処理を終了する。何れかのタブが長押しされた場合は、Ｓ４２０に進む。
【００９７】
Ｓ４２０では、表示部１３にタブ編集画面を表示させる。タブ編集画面とは、長押しされたタブを編集対象として、当該タブを何れかのハードキーに登録したり、当該タブのタブ名を変更したりすることが可能な画面である。ユーザは、タブ編集画面を介して、編集対象のタブに対する上述の各種編集を行うことができる。
【００９８】
Ｓ４３０では、ユーザによりハードキーの登録要求が行われたか否か判断する。ハードキーの登録要求は、例えば、登録対象のハードキーを押下することを含む所定の登録操作により行われる。ハードキーの登録要求が行われていない場合は、Ｓ４５０に進む。
【００９９】
Ｓ４５０では、タブ名の変更要求が行われたか否かを判断する。タブ名の変更要求は、例えば、ユーザにより新たなタブ名が入力されることを含む所定の操作により行われる。タブ名の変更要求が行われていない場合は、Ｓ４３０に戻る。タブ名の変更要求が行われた場合は、Ｓ４６０に進む。Ｓ４６０では、ユーザにより行われたタブ名の変更要求に従い、編集対象のタブ名を変更する。
【０１００】
なお、タブをハードキーに登録するだけでなく、すでにハードキーに登録されているタブについてハードキーへの登録状態を解除できるようにしてもよい。また、ハードキー登録要求が行われた場合に、押下されたハードキーに対してすでに別のタブが登録済みである場合は、すでに登録済みであることをユーザに報知するようにしてもよい。そして、その報知に対し、ユーザが、別のハードキーを押下するか、若しくはハードキーへの登録をやめるかを選択できるようにしてもよい。
【０１０１】
以上詳述した第２実施形態によれば、前述した第１実施形態の効果に加え、さらに以下の効果を奏する。
即ち、本実施形態では、タブを任意のハードキーに自在に登録することができるが、ハードキーに登録されているタブには、第１実施形態と同様、その登録されているハードキーを示す画像情報が、タブ名と共に表示される。そのため、ユーザは、待機画面が表示されているときに各タブの画像情報を見ることで、スリープモード中にどのハードキーを押せばどのタブの待機画面を表示させることができるのかを、予め容易に把握しておくことができる。
【０１０２】
また、ユーザは、待機画面に表示されているタブを長押しすることによって、その長押ししたタブをいずれかのハードキーに登録することができる。ユーザは、登録操作を行うことによって、特定のハードキーに対して特定のタブを対応付けて登録することができる。具体的に、例えば未登録状態のハードキーに対して新規にタブを対応付けて登録できてもよいし、既にタブが対応付けて登録されているハードキーに対して登録対象のタブを変更できてもよい。このような構成によれば、ユーザの使い勝手をより向上させることができる。なお、図６のＳ４３０の処理は登録受付処理に相当し、Ｓ４４０の処理は登録処理に相当する。
【０１０３】
［３．他の実施形態］
以上、本発明の実施形態について説明したが、本発明は上述の実施形態に限定されることなく、種々変形して実施することができる。
【０１０４】
（３−１）カスタム移行モードを設けずに、一律に、スリープモード中にタブが登録されているハードキーが押下された場合は、対応するタブ画面を待機画面に表示させるよう構成してもよい。
【０１０５】
（３−２）ハードキーの種類は、図２に示した各ハードキー６〜９に限定されない。また、機能実行装置１０以外の、表示部およびハードキーを備えた各種機器、装置等に対して本発明を適用可能である。
【０１０６】
（３−３）１つのタブを、複数のハードキーの組合せに対して対応付けて登録できるようにしてもよい。例えば、あるタブを数字「１２」に対応付けて登録し、スリープモード中に、数字「１」のハードキーと数字「２」のハードキーが同時に押下された場合に、数字「１２」が入力されたと判断して、その数字「１２」に対応付けられているタブ画面を待機画面に表示させるようにしてもよい。なお、ここでいう同時とは、文字通り完全に同時であることのみを意味するものではなく、一定時間以内であれば個々の押下タイミングの時間差を許容する概念である。
【０１０７】
（３−４）１つのタブ画面に配置されるアイコンの数が８個であることはあくまでも一例であり、１つのタブ画面に配置されるアイコンの数は適宜決めてもよい。また、タブ画面に対して複数のアイコンをどこにどのように配置するかについても適宜決めてよい。また、タブ表示領域３０に同時に表示されるタブの数が最大４つであることはあくまでも一例であり、画面中に同時に表示されるタブの数は適宜決めてよい。
【０１０８】
（３−５）タブの総数を変更できてもよい。即ち、例えば出荷時にはタブの総数が８個であった場合に、ユーザ操作によって、タブの総数を９個以上に増やしたり、逆に７個以下に減らしたりすることができてもよい。
【０１０９】
（３−６）待機画面において、タブをどこに表示させるか、またアイコンをどこに表示させるか、については、適宜決めてよい。例えば、図２に示した待機画面２５において、タブ表示領域３０とタブ画面表示領域３６を上下逆にしてもよい。
【０１１０】
（３−７）機能実行装置が実行可能な機能として、上述した、ファクシミリ機能、スキャン機能、コピー機能、印刷機能、ウェブサービス機能などの各規定の機能はあくまでも一例である。上述した機能とは異なる機能が実行可能に構成されていてもよい。また、実行可能な機能の種類、数などは適宜決めてよい。
【０１１１】
（３−８）上記実施形態における１つの構成要素が有する複数の機能を複数の構成要素によって実現したり、１つの構成要素が有する１つの機能を複数の構成要素によって実現したりしてもよい。複数の構成要素が有する複数の機能を１つの構成要素によって実現したり、複数の構成要素によって実現される１つの機能を１つの構成要素によって実現したりしてもよい。上記実施形態の構成の一部を省略してもよい。特許請求の範囲に記載した文言から特定される技術思想に含まれるあらゆる態様が本発明の実施形態である。
【符号の説明】
【０１１２】
３，６０…操作パネル、５…電源ボタン、６…テンキー、７…戻りボタン、８…ホームボタン、９…停止ボタン、１０…機能実行装置、１１…制御部、１２…記憶部、１３…表示部、１４…入力部、１４ａ…タッチパネル、１５…画像読取部、１６…印刷部、２５…待機画面、２６…左ボタン、２７…右ボタン、３０…タブ表示領域、３１〜３４…第１タブ〜第４タブ、３６…タブ画面表示領域、４０…第１タブ画面、４１〜４８…第１アイコン〜第８アイコン。
【図１】
2018126979.tif 000003
【図２】
2018126979.tif 000004
【図３】
2018126979.tif 000005
【図４】
2018126979.tif 000006
【図５】
2018126979.tif 000007
【図６】
2018126979.tif 000008